(57)【要約】【課題】この発明はベッド本体に設けられるテーブル板の使い勝手を向上させることができるようにしたベッド装置を提供することにある。【解決手段】サイドフレーム２を有し上面にマットレス７が載置されるベッド本体１と、上記サイドフレームにスライド可能かつ着脱可能に係合して設けられる係合部材１２と、この係合部材に設けられ係合部材を上記サイドフレームに沿ってスライドさせることで上記サイドフレームの長手方向の任意の位置でほぼ水平に保持されるテーブル板１１とを具備する。【選択図】      図２
2006026383.tif 000002
【特許請求の範囲】
【請求項１】
サイドフレームを有し上面にマットレスが載置されるベッド本体と、
上記サイドフレームにスライド可能かつ着脱可能に係合して設けられる係合部材と、
この係合部材に設けられ係合部材を上記サイドフレームに沿ってスライドさせることで上記サイドフレームの長手方向の任意の位置でほぼ水平に保持されるテーブル板と
を具備したことを特徴とするベッド装置。
【請求項２】
上記テーブル板の一端部に上記係合部材が設けられるとともに、このテーブル板の一端部に支持板が上端部を連結してほぼ直角に設けられ、この支持板の下端部には上記サイドフレームの外面に接触する接触部材が設けられていることを特徴とする請求項１記載のベッド装置。
【請求項３】
サイドフレームを有し上面にマットレスが載置されるベッド本体と、
上記サイドフレームの長手方向の任意の位置に着脱可能に係合保持される支持部材と、
この支持部材に高さ調整可能に設けられたテーブル板と
を具備したことを特徴とするベッド装置。
【請求項４】
上記支持部材は、パイプ材をほぼＪ字状に曲成してなり、このパイプ材の中途部には上記サイドフレームの上端部に係合する係合部材が設けられ、下端部には上記サイドフレームの側面に当接する当接部材が設けられていることを特徴とする請求項３記載のベッド装置。
【請求項５】
上記テーブル板は所定方向に沿って細長い平面形状であって、上記支持部材に水平方向に回転可能に設けられていて、このテーブル板は長手方向を上記サイドフレームの側面に直交させた状態と上記サイドフレームの長手方向に沿う状態との間で回転可能であることを特徴とする請求項３記載のベッド装置。
【請求項６】
サイドフレームを有し上面にマットレスが載置されるベッド本体と、
上端にテーブル板が設けられ下端部に当接体が揺動可能かつ突出長さの調整可能に設けられた取付け部材と、
一端部が上記取付け部材の中途部に固着され他端部に係合部材が設けられこの係合部材を上記サイドフレームの長手方向の任意の位置に着脱可能に係合させて上記当接体を上記サイドフレームの外面に当接させることで上記テーブル板を上記取付け部材を介して上記サイドフレームに保持する支持部材と
を具備したことを特徴とするベッド装置。
【請求項７】
上記取付け部材は、上記支持部材により下端から上端にゆくにつれて上記サイドフレームの外面から次第に離れる方向に傾斜して保持されることを特徴とする請求項６記載のベッド装置。
【発明の詳細な説明】
【技術分野】
【０００１】
この発明はベッド本体の側方に小物類を載置するためのテーブル板が設けられるベッド装置に関する。
【背景技術】
【０００２】
ベッド装置を利用する場合、たとえば水差し、照明スタンド或いは眼鏡などの種々の小物類を枕元に置くことができると便利である。そこで、ベッド装置の側方にナイトテーブルを設置し、このナイトテーブルの載置面に上述した小物類を置くようにしている。
【０００３】
ベッド装置の側方に設置されるナイトテーブルは、通常、利用者が利用し易い枕元、つまりヘッドボードの近くに置くことが多い。しかしながら、ベッド装置の利用者が老人や病人などであると、介護者や医師などは利用者の枕元に近付いて介護や診察などをしなければならない。その場合、利用者の枕元に設置されたナイトテーブルが邪魔になるから、移動させなければならないということがある。
【０００４】
従来、ナイトテーブルはベッド装置の側方の床面に設置されている。ナイトテーブルは比較的重く、しかも直方体形状であるために持ち難いということがある。そのため、介護者や医師が老人や病人などを介護したり、診察する際など、上記ナイトテーブルを容易に移動させることができないということがあったり、ナイトテーブルを持ち上げずに引きずって移動させ、床面を傷付けるなどのことがあった。
【０００５】
また、ベッド装置には種々の形式のものがあり、たとえば仰臥した利用者の上半身を起こすことができる、いわゆる背上げ式のベッド装置や上面にマットレスが載置されるベッド本体の下面側に収納空間部を形成し、この空間部に引き出しを出し入れ可能に設けた、いわゆる収納式のベッド装置などが知られている。
【０００６】
ところで、背上げ式のベッド装置において、ベッド本体の側方に設置されるナイトテーブルは、通常、利用者が上半身を起こさない状態、つまり仰臥した状態で最も使い易い位置に設置するようにしている。
【０００７】
利用者が仰臥した状態で、ナイトテーブルが使い易い位置は、通常、利用者の頭部の側方、つまり枕元である。しかしながら、ベッド装置を背上げして利用者の上半身を起こすと、ナイトテーブルの使い易い位置は仰臥しているときとは異なり、背上げ角度が大きくなるにつれて利用者の足元側に移動する。たとえば、利用者の上半身を約６０〜７０度程度に起こした場合、ナイトテーブルは利用者の臀部の側方にあった方が使い易い。
【０００８】
しかしながら、そのような場合であっても、利用者が背上げに応じてナイトテーブルの位置をずらすことは容易でないということがある。
【発明の開示】
【発明が解決しようとする課題】
【０００９】
このように、従来はベッド装置の側方にナイトテーブルを設置しているため、そのナイトテーブルが邪魔にならいように位置を変えるなどのことが容易でないということがあった。
【００１０】
この発明は、ナイトテーブルとして使用することができるテーブル板をベッド本体の長手方向に沿ってスライド可能に設けることで、このテーブル板の位置を容易に変えることができるようにしたベッド装置を提供することにある。
【課題を解決するための手段】
【００１１】
この発明は、サイドフレームを有し上面にマットレスが載置されるベッド本体と、
上記サイドフレームにスライド可能かつ着脱可能に係合して設けられる係合部材と、
この係合部材に設けられ係合部材を上記サイドフレームに沿ってスライドさせることで上記サイドフレームの長手方向の任意の位置でほぼ水平に保持されるテーブル板と
を具備したことを特徴とするベッド装置にある。
【００１２】
上記テーブル板の一端部に上記係合部材が設けられるとともに、このテーブル板の一端部に支持板が上端部を連結してほぼ直角に設けられ、この支持板の下端部には上記サイドフレームの外面に接触する接触部材が設けられていることが好ましい。
【００１３】
この発明は、サイドフレームを有し上面にマットレスが載置されるベッド本体と、
上記サイドフレームの長手方向の任意の位置に着脱可能に係合保持される支持部材と、
この支持部材に高さ調整可能に設けられたテーブル板と
を具備したことを特徴とするベッド装置にある。
【００１４】
上記支持部材は、パイプ材をほぼＪ字状に曲成してなり、このパイプ材の中途部には上記サイドフレームの上端部に係合する係合部材が設けられ、下端部には上記サイドフレームの側面に当接する当接部材が設けられていることが好ましい。
【００１５】
上記テーブル板は所定方向に沿って細長い平面形状であって、上記支持部材に水平方向に回転可能に設けられていて、このテーブル板は長手方向を上記サイドフレームの側面に直交させた状態と上記サイドフレームの長手方向に沿う状態との間で回転可能であることがこのましい。
【００１６】
この発明は、サイドフレームを有し上面にマットレスが載置されるベッド本体と、
上端にテーブル板が設けられ下端部に当接体が揺動可能かつ突出長さの調整可能に設けられた取付け部材と、
一端部が上記取付け部材の中途部に固着され他端部に係合部材が設けられこの係合部材を上記サイドフレームの長手方向の任意の位置に着脱可能に係合させて上記当接体を上記サイドフレームの外面に当接させることで上記テーブル板を上記取付け部材を介して上記サイドフレームに保持する支持部材と
を具備したことを特徴とするベッド装置にある。
【００１７】
上記取付け部材は、上記支持部材により下端から上端にゆくにつれて上記サイドフレームの外面から次第に離れる方向に傾斜して保持されることが好ましい。
【発明の効果】
【００１８】
この発明は、テーブル板に係合部材を設け、この係合部材をサイドフレームにスライド可能に設けたから、このテーブル板を使い易い位置や邪魔にならない位置などに容易に移動させることができる。
【００１９】
この発明は、テーブル板が高さ調整可能に設けられる支持部材を、サイドフレームの長手方向の任意の位置に着脱可能に係合保持できるようにしたから、上記テーブル板を使い易い位置や邪魔にならない位置などに容易に移動させることができる。
【発明を実施するための最良の形態】
【００２０】
以下、この発明の第１の実施の形態を図１と図２を参照して説明する。
【００２１】
図１はこの発明のベッド装置の斜視図である。このベッド装置はベッド本体１を備えている。このベッド本体１は一対のサイドフレーム２（一方のみ図示）の長手方向一端をフットボード３で連結し、他端をヘッドボード４で連結して矩形枠状に形成されている。
【００２２】
図２に示すように、一対のサイドフレーム２の内面には受け桟５が設けられ、これら受け桟５には床板６が幅方向両端部を係合させて架設されている。この床板６の上面にはマットレス７が載置されている。
【００２３】
一対のサイドフレーム２の少なくとも一方にはテーブル板１１がスライド可能かつ着脱可能に設けられている。すなわち、テーブル板１１は矩形状の板材からなり、このテーブル板１１の所定方向の一端面には断面形状がコ字状の係合部材１２がその一方の側辺を図示しないねじなどによって連結固定されている。なお、係合部材１２は上記一方の側辺が他方の側辺よりも短く形成されている。
【００２４】
上記係合部材１２は、一対の側辺の内面間の寸法が上記サイドフレーム２の厚さ寸法よりもわずかに大きく形成されていて、一対の側辺によって上記サイドフレーム２の上端部を挟む状態で、このサイドフレーム２の上端部に係合させて設けられる。それによって、上記テーブル板１１は上記サイドフレーム２の長手方向に沿ってスライド可能であるとともに、このサイドフレーム２に対して着脱可能となっている。
【００２５】
なお、係合部材１２は、たとえば内面に図示しないフェルトなどの柔らかなシート状部材が貼られていて、サイドフレーム２に沿ってスライドさせたときに、このサイドフレーム２を傷つけることがないようになっている。
【００２６】
上記テーブル板１１の上記所定方向の一端部下面には支持板１４が上端面を当接させ、側面形状が三角形のブラケット１５によって取付け固定されている。すなわち、このブラケット１５は、上記テーブル板１１の下面と上記支持板１４の一端面とにそれぞれ図示しないねじによって連結固定されている。それにより、テーブル板１１と支持板１４とは略直角になっている。
【００２７】
上記支持板４の外面の下端部には、フェルトなどの所定の厚さの柔軟な材料によって矩形状若しくは帯状に形成された接触部材１７が支持板４の幅方向に所定間隔若しくはほぼ全長にわたって設けられている。この接触部材１７は、上記サイドフレーム２の外面に接触し、上記テーブル板１１をほぼ水平に保持するとともに、テーブル板１１をサイドフレーム２の長手方向に沿ってスライドさせたときに、上記支持板４がサイドフレーム２の外面を擦って傷つけるのを防止する。
【００２８】
このように構成されたベッド装置によれば、テーブル板１１は係合部材１２によってサイドフレーム２に対してスライド可能に設けられている。そのため、上記テーブル板１１は図１に実線で示すヘッドボード４側の位置、つまり利用者の枕元側の位置から同図に鎖線で示す足元側に移動させることができる。
【００２９】
そのため、上記テーブル板１１をマットレス７上に仰臥する利用者が利用する場合には、上記テーブル板１１を実線で示す枕元側に位置させておけば、容易に利用することが可能であり、また利用者が介護を受けたり、診察を受けるような場合には、上記テーブル板１１を鎖線で示す足元側に移動させれば、邪魔になることがない。また、テーブル板１１を足元側に移動させておけば、このテーブル板１１を介護用品や診察器具などの載置場所として利用することもでき、便利である。
【００３０】
上記テーブル板１１は上記サイドフレーム２に対して着脱可能に設けられている。そのため、利用者が上述するように介護や診察を受ける場合、上記テーブル板１１が邪魔になるようであれば、サイドフレーム２から取外しても差し支えない。
【００３１】
上記ベッド装置が背上げ式の場合、背上げに応じて利用者が使い易くなるテーブル板１１の位置が枕元側から足元側に移ることになる。そのような場合、マットレス７上で上半身を起こした利用者は、上記テーブル板１１をサイドフレーム２に沿って容易に使い易い位置に容易にスライドさせることができる。
【００３２】
テーブル板１１と一体的に移動する支持板１４の下端部には、上記サイドフレーム２の外面に接触する柔軟な接触部材１７を設けるようにした。  
そのため、テーブル板１１をサイドフレーム２に沿ってスライドさせる場合、上記接触部材１７がサイドフレーム２の外面に接触し、支持板１４がサイドフレーム２に直接、接触するのが防止されるから、上記支持板１４がサイドフレーム２の外面を擦って傷つけるのを防止することができる。  
なお、この実施の形態において、テーブル板１１と係合部材１２とを例えば合成樹脂などによって一体成形するようにしてもよい。
【００３３】
図３はこの発明の第２の実施の形態を示す。この実施の形態は、側面形状が三角形状をなしたブラケット１５の３つの側辺のうちの１つを、テーブル板１１の下面に取付け固定し、その側辺と直角な側辺に係合部材１２の一辺を連結固定する。つまり、第１の実施の形態のように支持板１４を用いずに、テーブル板１１を上記係合部材１２によって上記サイドフレーム２にスライド可能かつ着脱可能に設けるようにした。
【００３４】
なお、この実施の形態では、係合部材１２の上記ブラケット１５に連結される一方の側辺と、他方の側辺とがほぼ同じ長さ寸法に設定されている。また、係合部材１２の内面には上記第１の実施の形態と同様、フェルトなどの柔らかなシート状部材が貼着されており、スライドさせたときにサイドフレーム２を傷つけることがないようになっている。
【００３５】
このような構成によれば、上記第１の実施の形態のように支持板１４を必要としないから、その分、部品点数を少なくすることができるばかりか、テーブル板１１をスライドさせたときに、支持板１４によってサイドフレーム２の外面を傷つけるようなこともない。
【００３６】
図４乃至図７はこの発明の第３の実施の形態を示す。この実施の形態はパイプ材の下端部を円弧状に曲成してほぼＪ字状をなした支持部材２２を有する。この支持部材２２の下端面はほぼ垂直となっていて、その下端面には円板状の当接部材２３が固着されている。
【００３７】
支持部材２２の下端部には棒材をほぼＶ字状に曲成した連結部材２４がその頂部を上記支持部材２２に溶接などの手段によって固着されている。この連結部材２４の先端部（両端部）には断面形状がＬ字状の係合部材２５が固着されている。
【００３８】
そして、上記支持部材２２は係合部材２５をサイドフレーム２の上端面に係合させるとともに、当接部材２３をサイドフレーム２の外面（側面）に当接させることで、ベッド本体１のサイドフレーム２の長手方向の任意の位置に着脱可能に係合保持されている。
【００３９】
上記支持部材２２の開口した上端部には、テーブル板１１Ａが上下方向の高さ調整可能かつ水平方向に回転可能に支持されている。すなわち、上記テーブル板１１Ａは、図６と図７（ａ），（ｂ）に示すように平面形状が所定方向に沿って細長い形状、この実施の形態では二等辺三角形状に形成されていて、その下面には矩形状の取付け板２６が長手方向をテーブル板１１Ａの長手方向に沿わせ、ねじ２７によって取付け固定されている。
【００４０】
上記支持部材２２の上端部にはブッシュ２８が装着され、このブッシュ２８には上記取付け板２６に上端を固着したパイプ材からなるスライド部材２９がスライド及び回転可能に嵌挿支持されている。
【００４１】
上記支持部材２２の上部にはナット３１が溶接され、このナット３１には蝶ねじ３２が螺合されている。蝶ねじ３２を捩じ込むと、その先端部は上記支持部材２２の周壁に形成された通孔３３から内部に突出し、スライド部材２９の外周面に圧接する。それによって、テーブル板１１Ａはスライド部材２９によって高さ調整可能かつ水平方向の回転角度の調整可能に設けられている。
【００４２】
このような構成によれば、テーブル板１１ａが設けられた支持部材２２は、サイドフレーム２の長手方向の任意の位置で、係合部材２５をサイドフレーム２に係合させ、当接部材２３をサイドフレーム２の側面に当接させることで、係合保持することができる。したがって、利用者はテーブル板１１Ａをサイドフレーム２の長手方向の使い易い位置に移動させたり、使用しないときには邪魔にならない位置に移動させることができる。
【００４３】
つまり、サイドフレーム２に対して係合部材２５を係脱させることで、支持部材２２とともにテーブル板１１Ａを容易に着脱することができるから、このテーブル板１１Ａをサイドフレーム２の長手方向の任意の位置に容易に移動させることができる。
【００４４】
上記テーブル板１１Ａは、蝶ねじ３２を緩めてスライド部材２９を上下動させれば、たとえば図４に実線で示す位置から鎖線で示すように高さ位置を変えることができる。そのため、利用者は、テーブル板１１Ａを使い易い高さに容易に位置決めすることができる。
【００４５】
上記スライド部材２９は、蝶ねじ３２を緩めれば、支持部材２２に対して水平方向に回転させることができる。したがって、テーブル板１１Ａは、図７（ａ）に示すように長手方向をサイドフレーム２の側面に対して直交する方向に回転させて保持したり、図７（ｂ）に示すように長手方向がサイドフレーム２の側面に直交した状態から９０度よりもわずかに大きな角度で回転させることで、長手方向をサイドフレーム２の側面に沿わせて使用することができる。つまり、利用者はテーブル板１１Ａを使い易い角度に回転させることができる。
【００４６】
しかも、テーブル板１１Ａを所定方向に沿って細長い平面形状、この実施の形態では二等辺三角形状とした。そのため、不使用時には図７（ｂ）に示すようにテーブル板１１Ａの長手方向をサイドフレーム２の長手方向に沿うよう回転させることで、サイドフレーム２の外方へ突出する長さ寸法を小さくできる。そのため、不使用時にテーブル板１１Ａが邪魔にならないようにすることもできる。
【００４７】
なお、この第３の実施の形態において、テーブル板の平面形状は二等辺三角形状に限られず、たとえば矩形状などの他の形状であってもよく、要は回転させることで使い勝手が変わったり、邪魔にならない形状である、所定方向に沿って細長い形状であればよい。
【００４８】
また、スライド部材を蝶ねじによって任意の高さ位置及び回転角度で保持できるようにしたが、蝶ねじに代わり、ピンを支持部材からスライド部材に差し込むことで、保持部材に対してスライド部材の高さ位置や回転角度を調整できるようにしてもよい。
【００４９】
図８乃至図１１はこの発明の第４の実施の形態を示す。この実施の形態は直線状のパイプ材からなる取付け部材４１を有する。この取付け部材４１の上端面は図１０（ａ）に示すように斜面に形成され、この斜面には板面を取付け部材４１の軸線に対して所定の角度で傾斜させた連結板４２が溶接などによって固着されている。この連結板４２には楕円形状のテーブル板１１Ｂが長手方向の一端部の下面をねじ４３によって固定されている。
【００５０】
上記取付け部材４１の下端部で、しかもこの取付け部材４１の周方向において上記テーブル板１１Ｂの一端と同じ方向には図１１（ａ）、（ｂ）に示すように筒状ナット４４が設けられている。この筒状ナット４４には当接体４５が設けられている。この当接体４５は円錐台形状となっていて、その小径側の端面にはおねじ軸４６の一端が３６０度方向に揺動可能に連結されている。このおねじ軸４６は上記筒状ナット４４に長さ調整可能に螺合されている。
【００５１】
上記取付け部材４１の中途部には、図１０（ｂ）に示すように棒材をＶ字状に曲成した支持部材４８が一端である、その頂部を溶接などによって固着して設けられている。支持部材４８の他端である、その両端には断面Ｌ字状の係合部材４７が固着されている。上記支持部材４８は、図１０（ａ），（ｂ）に示すように上記係合部材４７を上記サイドフレーム２の上端に着脱可能かつサイドフレーム２の長手方向に沿ってスライド可能に係合させて設けられる。
【００５２】
それによって、上記当接体４５の大径側の端面がサイドフレーム２の外面に当接するから、上記支持部材４８の上端に設けられたテーブル板１１Ｂがサイドフレーム２に保持される。その際、当接体４５を回転させ、この当接体４５に揺動可能に設けられたおねじ軸４６の上記筒状ナット４４からの突出長さを調整すれば、上記テーブル板１１Ｂが水平になるよう上記取付け部材４１の角度を一定に維持することができる。
【００５３】
図１１（ｂ）は第４の実施の形態の変形例であって、この実施の形態は図１１（ａ）に示すサイドフレーム２よりも板厚が厚いサイドフレーム２ａが用いられている。しかも、サイドフレーム２ａの外面の上端部には断面形状が蒲鉾状の飾り部材５１長手方向全長にわたって設けられている。
【００５４】
このように、サイドフレーム２ａの厚さが異なる場合であっても、上記当接体４５に設けられたおねじ軸４６の突出長さを調整すれば、取付け部材４１の上端に設けられたテーブル板１１Ｂが水平になるよう、上記取付け部材４１の角度を調整することができる。
【００５５】
しかも、サイドフレーム２ａの外面上部に飾り部材５１が設けられていても、取付け部材４１は下端部を当接体４５によってサイドフレーム２ａに当接させ、中途部が支持部材４８に支持された状態で傾斜して支持される。
【００５６】
つまり、取付け部材４１は下端から上端にゆくにつれて上記サイドフレーム２ａの外面から次第に離れるよう傾斜して支持される。そのため、取付け部材４１がサイドフレーム２ａに設けられた飾り部材５１に干渉するのを防止することができる。
【００５７】
上記テーブル板１１Ｂの支持高さは取付け部材４１の長さによって変えることができる。この実施の形態では図８、図９に示すようにテーブル板１１Ｂがマットレス７の上面よりもわずかに高い位置にあるが、取付け部材４１を短くすれば、その高さを第１の実施の形態のようにマットレス７の上面よりも低くすることも可能である。
【００５８】
このように、第４の実施の形態によれば、上端をテーブル板１１Ｂに固定した取付け部材４１の中途部に係合部材４７が設けられた支持部材４８を固着し、上記取付け部材４１の下端部に当接体４５を揺動可能かつ突出長さの調整可能に設けるようにした。
【００５９】
そのため、上記係合部材４７をサイドフレーム２，２ａの上端にスライド可能かつ着脱可能に係合させるとともに、上記当接体４５をサイドフレーム２，２ａに当接させることで、上記テーブル板１１Ｂを使い易い位置に設けたり、サイドフレーム２，２ａの長手方向に沿って任意の位置に変えることができる。
【００６０】
しかも、取付け部材４１の下端には当接体４５が揺動可能かつ突出長さの調整可能に設けられている。そのため、サイドフレーム２，２ａの厚さが異なるベッド本体１であっても、上記当接体４５をサイドフレーム２，２ａの外面に当接させてテーブル板１１Ｂを確実に支持することができる。
【図面の簡単な説明】
【００６１】
【図１】この発明の第１の実施の形態を示すベッド装置の斜視図。
【図２】テーブル板の取付け構造を示す拡大断面図。
【図３】この発明の第２の実施の形態を示すテーブル板の取付け構造を示す拡大断面図。
【図４】この発明の第３の実施の形態のテーブル板の支持構造を示す側面図。
【図５】同じく正面図。
【図６】テーブル板を支持する支持部材とスライド部材とを示す断面図。
【図７】（ａ）はテーブル板が長手方向をサイドフレームの外面に直交する状態に回転させた平面図、（ｂ）は同じく長手方向をサイドフレームの長手方向に沿わせた平面図。
【図８】この発明の第４の実施の形態を示すベッド装置の一部分の側面図。
【図９】図８に示すベッド装置の正面図。
【図１０】（ａ）は取付け部材及びこの取付け部材の上端に取付けられたテーブル板を示す側面図、（ｂ）は図１０（ａ）を下面側から見た図。
【図１１】（ａ）はサイドフレームに取付け部材を支持した状態を示す側面図、（ｂ）は図１１（ａ）と異なる厚さのサイドフレームに取付け部材を支持した状態を示す側面図。
【符号の説明】
【００６２】
１…ベッド本体、２…サイドフレーム、３…ヘッドボード、４…フットボード、７…マットレス、１１…テーブル板、１２…係合部材、１４…支持板、１５…ブラケット、１７…接触部材。
【図１】
2006026383.tif 000003
【図２】
2006026383.tif 000004
【図３】
2006026383.tif 000005
【図４】
2006026383.tif 000006
【図５】
2006026383.tif 000007
【図６】
2006026383.tif 000008
【図７】
2006026383.tif 000009
【図８】
2006026383.tif 000010
【図９】
2006026383.tif 000011
【図１０】
2006026383.tif 000012
【図１１】
2006026383.tif 000013